【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
光電変換部と、転送部と、信号保持部と、画素出力部とを各々が有し、複数列に渡って配された複数の画素と、
前記複数の画素を制御する制御部と、
前記複数列のそれぞれに対応して配され、対応する前記画素から出力される信号を増幅した信号を生成する複数の列回路部とを有し、
前記光電変換部は、第１蓄積期間と、前記第１蓄積期間とは別の期間であって、前記第１蓄積期間よりも長い第２蓄積期間とのそれぞれにおいて信号を蓄積し、
前記画素出力部は、前記第１蓄積期間に対応する信号と、前記第２蓄積期間に対応する信号とをそれぞれ出力し、
前記複数の列回路部の各々は、対応する前記画素から出力された、前記第１蓄積期間に対応する信号と前記第２蓄積期間に対応する信号との少なくとも一方と、閾値との比較の結果を示す比較結果信号を生成し、
前記複数の列回路部の各々は、前記第１蓄積期間に対応する信号と前記第２蓄積期間に対応する信号の一方を増幅する増幅率を、前記比較結果信号の信号レベルに対応して変更することを特徴とする撮像装置。
【請求項２】
前記比較結果信号が、前記第１蓄積期間に対応する信号と前記閾値との比較の結果を示す信号であって、前記比較結果信号が、前記第１蓄積期間に対応する信号が前記閾値よりも大きいことを示す場合には、前記第１蓄積期間に対応する信号を増幅する増幅率を第１の増幅率とし、
前記比較結果信号が、前記第１蓄積期間に対応する信号が前記閾値よりも小さいことを示す場合には、前記第１蓄積期間に対応する信号を増幅する増幅率を前記第１の増幅率よりも大きい第２の増幅率とすることを特徴とする請求項１に記載の撮像装置。
【請求項３】
前記比較結果信号が、前記第２蓄積期間に対応する信号と前記閾値との比較の結果を示す信号であって、前記比較結果信号が、前記第２蓄積期間に対応する信号が前記閾値よりも大きいことを示す場合には、前記第２蓄積期間に対応する信号を増幅する増幅率を第３の増幅率とし、
前記比較結果信号が、前記第２蓄積期間に対応する信号が前記閾値よりも小さいことを示す場合には、前記第２蓄積期間に対応する信号を増幅する増幅率を前記第３の増幅率よりも大きい第４の増幅率とすることを特徴とする請求項１に記載の撮像装置。
【請求項４】
前記複数の列回路の各々は、前記比較結果信号として、前記第１蓄積期間に対応する信号と前記閾値との比較の結果を示す第１の比較結果信号と、前記第２蓄積期間に対応する信号と前記閾値との比較の結果を示す第２の比較結果信号とを生成し、
前記第１の比較結果信号が、前記第１蓄積期間に対応する信号が前記閾値よりも大きいことを示す場合には、前記第１蓄積期間に対応する信号を増幅する増幅率を第１の増幅率とし、
前記第１の比較結果信号が、前記第１蓄積期間に対応する信号が前記閾値よりも小さいことを示す場合には、前記第１蓄積期間に対応する信号を増幅する増幅率を前記第１の増幅率よりも大きい第２の増幅率とし、
前記第２の比較結果信号が、前記第２蓄積期間に対応する信号が前記閾値よりも大きいことを示す場合には、前記第２蓄積期間に対応する信号を増幅する増幅率を前記第１の増幅率とし、
前記第２の比較結果信号が、前記第２蓄積期間に対応する信号が前記閾値よりも小さいことを示す場合には、前記第２蓄積期間に対応する信号を増幅する増幅率を前記第２の増幅率とすることを特徴とする請求項１に記載の撮像装置。
【請求項５】
前記複数の列回路の各々は、前記第１蓄積期間に対応する信号と、前記第２蓄積期間に対応する信号をそれぞれデジタル信号に変換するＡＤ変換部を有し、
前記第１の増幅率と前記第２の増幅率のそれぞれは、前記ＡＤ変換部のＡＤ変換ゲインであることを特徴とする請求項２〜４のいずれか１項に記載の撮像装置。
【請求項６】
前記複数の列回路の各々は、前記第１蓄積期間に対応する信号と、前記第２蓄積期間に対応する信号をそれぞれ増幅する増幅回路を有し、
前記第１の増幅率と前記第２の増幅率のそれぞれは、前記増幅回路の増幅率であることを特徴とする請求項２〜４のいずれか１項に記載の撮像装置。
【請求項７】
光電変換部と、転送部と、信号保持部と、画素出力部とを各々が有し、複数列に渡って配された複数の画素と、
前記複数の画素を制御する制御部と、
前記複数列のそれぞれに対応して配され、対応する前記画素から出力される信号を増幅した信号を生成する複数の列回路部とを有し、
前記光電変換部は、第１蓄積期間と、前記第１蓄積期間とは別の期間であって、前記第１蓄積期間よりも長い第２蓄積期間とのそれぞれにおいて信号を蓄積し、
前記複数の画素の各々は、前記第１蓄積期間に対応する信号と、前記第２蓄積期間に対応する信号とをそれぞれ出力し、
前記複数の列回路部の各々は、対応する前記画素から出力された、前記第１蓄積期間に対応する信号と前記第２蓄積期間に対応する信号の一方に対し、値の異なる複数の増幅率で増幅することによって複数の信号を生成することを特徴とする撮像装置。
【請求項８】
前記複数の列回路部の各々は、増幅回路を有し、
前記複数の列回路部の各々が備える前記増幅回路が、前記第１蓄積期間に対応する信号と前記第２蓄積期間に対応する信号との少なくとも一方に対し、値の異なる複数の増幅率で増幅することによって前記複数の信号を生成することを特徴とする請求項７に記載の撮像装置。
【請求項９】
前記複数の列回路部の各々は、対応する前記画素から出力された、前記第１蓄積期間に対応する信号と前記第２蓄積期間に対応する信号とをそれぞれＡＤ変換するＡＤ変換部を有し、
前記ＡＤ変換部が、前記第１蓄積期間に対応する信号と前記第２蓄積期間に対応する信号との少なくとも一方に対し、前記ＡＤ変換におけるＡＤ変換ゲインを異ならせて複数回、ＡＤ変換することによって、値の異なる複数の増幅率で増幅することによって前記複数の信号を生成することを特徴とする請求項７に記載の撮像装置。
【請求項１０】
前記制御部は、前記転送部による前記光電変換部から前記信号保持部への信号の転送の開始と終了のそれぞれを、前記複数の画素で同時とすることを特徴とする請求項１〜９のいずれか１項に記載の撮像装置。
【請求項１１】
請求項１〜１０のいずれか１項に記載の撮像装置と、
前記撮像装置が出力する信号を処理することによって画像を生成する信号処理部と
を有することを特徴とする撮像システム。
【手続補正２】
【補正対象書類名】明細書
【補正対象項目名】０００８
【補正方法】変更
【補正の内容】
【０００８】
本発明は上記の課題を鑑みて為されたものであり、その一の態様は、画素出力部とを各々が有し、複数列に渡って配された複数の画素と、前記複数の画素を制御する制御部と、前記複数列のそれぞれに対応して配され、対応する前記画素から出力される信号を増幅した信号を生成する複数の列回路部とを有し、前記光電変換部は、第１蓄積期間と、前記第１蓄積期間とは別の期間であって、前記第１蓄積期間よりも長い第２蓄積期間とのそれぞれにおいて信号を蓄積し、前記画素出力部は、前記第１蓄積期間に対応する信号と、前記第２蓄積期間に対応する信号とをそれぞれ出力し、前記複数の列回路部の各々は、対応する前記画素から出力された、前記第１蓄積期間に対応する信号と前記第２蓄積期間に対応する信号との少なくとも一方と、閾値との比較の結果を示す比較結果信号を生成し、前記複数の列回路部の各々は、前記第１蓄積期間に対応する信号と前記第２蓄積期間に対応する信号の一方を増幅する増幅率を、前記比較結果信号の信号レベルに対応して変更することを特徴とする撮像装置である。
【手続補正３】
【補正対象書類名】明細書
【補正対象項目名】０００９
【補正方法】変更
【補正の内容】
【０００９】
また、一の態様は、光電変換部と、転送部と、信号保持部と、画素出力部とを各々が有し、複数列に渡って配された複数の画素と、前記複数の画素を制御する制御部と、前記複数列のそれぞれに対応して配され、対応する前記画素から出力される信号を増幅した信号を生成する複数の列回路部とを有し、前記光電変換部は、第１蓄積期間と、前記第１蓄積期間とは別の期間であって、前記第１蓄積期間よりも長い第２蓄積期間とのそれぞれにおいて信号を蓄積し、前記複数の画素の各々は、前記第１蓄積期間に対応する信号と、前記第２蓄積期間に対応する信号とをそれぞれ出力し、前記複数の列回路部の各々は、対応する前記画素から出力された、前記第１蓄積期間に対応する信号と前記第２蓄積期間に対応する信号の一方に対し、値の異なる複数の増幅率で増幅することによって複数の信号を生成することを特徴とする撮像装置である。